(57)【要約】【課題】マンション等の各戸の鉄製玄関扉に開口する郵便受け用開口部を壊し、ここに手を差し込んで錠前のノブを回動させ、該ドアーを明けて浸入する盗難事件が発生しているが、これを防止すると共に装飾とすることのできるプレートを提供する。【解決手段】玄関ドアーの郵便受け用開口部縁辺に取り付けられた化粧用枠材を取り外し、該郵便受け用開口部に挿通、嵌合可能な凸状部を裏面に突設して、その凸状部に雌ねじを穿設したプレートを、該ドアーの表面側からその凸状部を開口部に挿通させ、ドアーの裏面側からはボルト挿通孔を有する挟着板を対向させて、ねじボルトによりこの両者を一体化して前記開口部を閉塞する。これによってドアー前面からの破壊が防止され、且つ、該プレートの形状にデザインを施すことにより玄関飾りとし、また、隣戸との差別化がはかれる。【選択図】  図１
2004316086.tif 000002
【特許請求の範囲】
【請求項１】
正面板はマンション等のドアーに設けられた郵便受け用開口部を覆い隠すに十分な大きさであって、その正面板の裏面に前記開口部に挿通する凸状部を形成すると共にその凸状部に複数のネジ穴を穿設（またはネジ付きボルトを立設）したものであり、その凸条部を前記ドアーの郵便受け用開口部に表面側から嵌合し、前記開口部より大で前記ネジ穴（またはネジ付きボルト）と同様の配置になるボルト挿通穴を穿孔した挟着板をドアー内側から対向状にあてがい、前記ボルト挿通穴にボルトを挿通（または、前記ネジ付きボルトにナットを係合）してネジ締めをして前記ドアーに組み付けることに特徴を有するピッキング防止用プレート。
【発明の詳細な説明】
【０００１】
【発明の属する技術分野】表札ないしプレートとマンションなどの各戸の玄関ドアーとの組み合わせに関する。
【０００２】
【従来の技術】賃貸マンションはもとより一般的な買取りマンションにおいても各戸の玄関形状は全く同一のデザインであり、その表札も長方形の紙面に氏名を記載し、予め固定された貧弱な名札ケースに差し込むのが通例である。これによっては住人が自らの個性を表示し、或いは顔としての玄関に装飾を施し、隣家との差別化を図る等の手段がないのが現状である。
【０００３】
一方、このようなマンションや戸建て住宅の鉄製玄関ドアーには郵便受け口が設けられており、その開口部に嵌合すると共にその周縁部を被覆する薄鉄板からなる装飾枠体が表面側からあてがわれ、裏面側からも扉を挟むように枠体があてがわれてその両者を直径３ｍｍ程度のボルトによりネジ止めされており、さらにその内側に郵便受け箱が係止されているのが通例である。この郵便受け口の枠体が脆弱であることから、空き巣狙いは該表面側枠体とドアーの表面側鉄板との間にドライバーまたはバールの先端を差し込み、これを強く引くことによって該表面側枠体を破壊し、次いで該扉の郵便受け用開口部に手を差し込み、何等かの道具をもって施錠されたフックを開錠方向に回転させ、扉を明けることにより浸入する事件が増加している。
【０００４】
このような被害に遭遇するのは主として単身者の居住マンションであって、その多くは日刊新聞の宅配を受けず、また、通常の郵便はマンションの玄関に設けられた集合郵便受けに投入されることから自室には郵便受け口を必要としないものが多い。
【０００５】
【発明が解決しようとする課題】たとえ賃貸マンションであっても自らの氏名を表示する表札に関して豪華なものとするなどにより玄関の装飾をなし、よって隣家との差別化をしたいと思うのが人の常であるが、借家である限りはその玄関周辺ないしドアーに回復不能な変更を加えることのできないことから、このような欲求は満たされないのが現状である。
【０００６】
そこで本発明は、前記のようにピッキングなどの危険性のある郵便受け口を全く不要とするドアーに対して取付が簡単で、且つ、ピッキング防止効果があり、さらには個性の発揮が可能な表札ないしプレートを提供しようとするものである。
【０００７】
【課題を解決するための手段】本発明に係る表札またはプレート（以下、プレートと称す。）はマンション等の鉄製ドアーに設けられた郵便受け用開口部を覆い隠すに十分な大きさであって、そのプレートの裏面には該開口部に挿通する凸状部を突設すると共にその凸状部に複数のネジ穴を穿設（またはネジ付きボルトを立設）したものであって、その凸条部を前記ドアーの郵便受け用開口部に表面側から嵌合し、前記開口部より大で前記ネジ穴（またはネジ付きボルト）と同様の配置になるボルト挿通穴を穿孔した挟着板をドアー内側からあてがい、前記ボルト挿通穴にボルトを挿通（または、前記ネジ付きボルトにナットを係合）してネジ締めし、前記ドアーに組み付けることによって、ピッキングの防止と玄関の装飾を兼ねた表札ないしフレートとしたものである。
【０００８】
【発明の実施の形態】本発明の詳細について、図面を参照して説明する。図は本発明に係るピッキング防止用プレートの実施例を示したもので、図１に示すプレート１は、図２に示すようにマンション等のドアーＤに開口する郵便受け口Ａを覆い尽くすに十分な大きさの正面板２と、その正面板２の裏面に前記の郵便受け口Ａに挿通、嵌合する凸状部３が一体的に突設され、その凸条部３に複数の雌ネジ孔４，４が穿設されている。この雌ネジ孔に変えて雄ネジ付きボルト８，８・・を立設しても良い（図３参照）。
【０００９】
一方、マンション等の鉄製玄関ドアーＤの郵便受け口は、前記のようにその開口部Ａに嵌合すると共にその周縁部を被覆し、且つ、その中央に内側に開閉自在な閉止板が付設された薄鉄板からなる装飾枠体が該ドアーの表面側からあてがわれ、内部側からも該ドアーを挟むように枠体があてがわれてその両者をボルトにより締め付けされているのが通例であるが、ここではこれらの装飾板を取り除いた後のドアー自体の開口部を郵便受け用開口部（Ａ）とする。
【００１０】
挟着板５は前記雌ネジ孔４，４に螺合するボルトのネジ径よりやや大径のボルト挿通穴６，６が開設されたもので、且つ、全体形状は前記郵便受け開口部Ａを覆い尽くすに十分な大きさに形成されている。
【００１１】
前記の凸状部３は、図３に示すようにコの字型（または、溝型）鉄板３１のようなものでも良く、また、図４に示すように４本のボルト４，４・・を前記郵便受け開口部の四隅に対応する位置に立設しても良い。これら凸状部及び四隅のボルトは、前記郵便受け開口部Ａに取り付けられた状態で、該ピッキング防止用プレートが異常な外力によって著しく位置ズレを生じないことを目的とするものである。
【００１２】
以上の構成になる本発明のピッキング防止用プレート１は図２に示すように、正面板２の凸条部３を玄関ドアーの表側から郵便受け用開口部Ａに挿入し、該ドアーＤの内面側から挟着板５を対向状にあてがう。そして、前記のボルト挿通穴６，６にボルト７、７を挿通して前記雌ねじに螺合させ締め付ける。これによって、該ピッキング防止用プレート１はドアーに取り付けられる。なお、図４に示すピッキング防止用プレート１においてはこれと、図示していない挟着板戸によりドアーを挟着して別体のナット（これも図示していない。）により締め付けることになる。
【００１３】
以上の構成になるピッキング防止用プレート１は、ドアーＤの表側からドライバーやバールなどを使った破壊に耐えるに十分な強度を有することが必要である。そのためには、正面板２は鉄材または鋼材等の金属、または真鍮、黄銅、チタン合金などの非鉄金属が使用され、その厚さは１．０ｍｍ〜２５．０ｍｍ程度が、また、ボルトの直径は５ｍｍ〜１２ｍｍ程度で２本以上の使用が望ましいが、これに限定するものではない。
【００１４】
また、図において正面板２及び挟着板５の形状を長方形としているが、本発明は前記のようにマンション等における自家の玄関を他家のそれとの間で差別化することを目的の一つとするもので、その形状をハート型、花柄、家紋形状など任意のデザインとすることができる。
【００１５】
【発明の効果】本発明のピッキング防止用プレート１を郵便受け口Ａに取り付けることにより該郵便受け口Ａを利用した盗難被害を防ぐことができる。
【００１６】
正面板２および挟着板５の形状を適宜に選定することによって玄関の装飾、他家玄関との差別化が可能になる。
【００１７】本発明ピッキング防止用プレート１は、ドアーの郵便受け口Ａに簡単に取り付け、取り外しができ、しかも、ドアーに何らの永久的な損傷を残さないことから、自己所有はもとより賃貸マンションのドアーにも適用が可能である。
【図面の簡単な説明】
【図１】本発明に係るピッキング防止用プレートの斜視図である。
【図２】そのプレートをドアーの郵便受け用開口部に取り付けた状態を示す断面図である。
【図３】他の実施例を示した斜視図である。
【図４】今一つの実施例を示した斜視図である。
【符号の説明】
１  ピッキング防止用プレート
２  正面プレート
３  凸状部
４  雌ねじ穴
５  挟着板
６  ボルト挿通穴
７、８  ねじボルト
【図１】
2004316086.tif 000003
【図２】
2004316086.tif 000004
【図３】
2004316086.tif 000005
【図４】
2004316086.tif 000006